【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
基板と、
前記基板に設けられた複数の画素と、
前記複数の画素に供給される走査信号を出力する第１回路と、
前記複数の画素と前記第１回路とを接続する複数の走査線と、
を有し、
前記基板は、
前記基板の第１領域と、
前記基板の前記第１領域の第１方向における第１の側の第１側部に沿って配置された領域である第２領域と、
を含み、
前記複数の画素は、前記第１領域に設けられ、
前記第１回路は、前記第２領域に設けられ、
前記複数の走査線は、前記第１領域に設けられ、平面視において、前記第１方向にそれぞれ延在し、
前記第１回路は、前記複数の走査線の各々の前記第１方向における前記第１の側の第１端部とそれぞれ接続された複数の回路部を含み、
前記複数の回路部のうち第１回路部は、前記複数の走査線のうち第１走査線と電気的に接続され、
前記複数の回路部のうち第２回路部は、前記複数の走査線のうち前記第１走査線に対して前記第１方向とは異なる第２方向における第２の側に配置された第２走査線と電気的に接続され、
前記第１回路部の形状は、前記第２回路部の形状と異なる、表示装置。
【請求項２】
請求項１記載の表示装置において、
前記第１回路部の前記第１方向における長さは、前記第２回路部の前記第１方向における長さと異なる、表示装置。
【請求項３】
請求項１又は２に記載の表示装置において、
前記第１回路部の前記第２方向における長さは、前記第２回路部の前記第２方向における長さと異なる、表示装置。
【請求項４】
請求項１乃至３の何れかに記載の表示装置において、
前記第１回路部の前記第１方向における長さに対する、前記第１回路部の前記第２方向における長さの比は、前記第２回路部の前記第１方向における長さに対する、前記第２回路部の前記第２方向における長さの比と異なる、表示装置。
【請求項５】
請求項１乃至４の何れかに記載の表示装置において、
前記第１走査線の長さは、前記第２走査線の長さと異なる、表示装置。
【請求項６】
請求項１乃至５の何れかに記載の表示装置において、
前記複数の画素に供給される映像信号が入力される第２回路と、
前記複数の画素と前記第２回路とを接続する複数の映像線と、
を有し、
前記基板は、前記基板の領域であって、前記第１領域に対して、前記第２方向における前記第２の側に配置された領域である第３領域を含み、
前記第２回路は、前記第３領域に設けられ、
前記複数の映像線は、前記第１領域に設けられ、平面視において、前記第２方向にそれぞれ延在し、かつ、前記第１方向に配列され、
前記第１領域の前記第１側部は、前記第２方向における前記第２の側と反対側ほど、前記第１方向における前記第１の側に位置する形状を有する、表示装置。
【請求項７】
請求項６記載の表示装置において、
前記第１走査線の長さは、前記第２走査線の長さよりも長く、
前記第１回路部の前記第１方向における長さに対する、前記第１回路部の前記第２方向における長さの比は、前記第２回路部の前記第１方向における長さに対する、前記第２回路部の前記第２方向における長さの比よりも小さい、表示装置。
【請求項８】
請求項６記載の表示装置において、
前記複数の映像線の各々の前記第２方向における前記第２の側の第２端部とそれぞれ接続された複数の映像信号接続配線を有し、
前記第２回路は、前記複数の映像信号接続配線の各々を介して、前記複数の映像線の各々の前記第２端部と接続され、
前記複数の映像線のうち第１映像線は、平面視において、前記第１側部と重なり、
前記複数の映像信号接続配線のうち第１映像信号接続配線は、前記第１映像線と接続され、
前記第１映像信号接続配線は、前記第２領域に設けられている、表示装置。
【請求項９】
請求項６記載の表示装置において、
前記基板は、前記基板の領域であって、前記第１領域に対して、前記第２方向における前記第２の側と反対側に配置された領域である第４領域を含み、
前記複数の回路部のうち、前記複数の走査線の配列の前記第２方向における前記第２の側と反対側の第３端部に配置された第３走査線と接続された第３回路部は、前記第４領域に設けられている、表示装置。
【請求項１０】
請求項１記載の表示装置において、
前記第１回路は、前記複数の走査線の各々の前記第１端部とそれぞれ接続された複数の走査信号接続配線を含み、
前記複数の回路部は、前記複数の走査信号接続配線の各々を介して、前記複数の走査線の各々の前記第１端部とそれぞれ接続され、
前記複数の走査信号接続配線のうち第１走査信号接続配線は、前記第１走査線と接続され、
前記複数の走査信号接続配線のうち第２走査信号接続配線は、前記第２走査線と接続され、
前記第１走査信号接続配線は、第３方向に延在する第１延在部を含み、
前記第２走査信号接続配線は、前記第３方向と異なる第４方向に延在する第２延在部を含む、表示装置。
【請求項１１】
基板と、
前記基板に設けられた複数の画素と、
前記複数の画素に供給される走査信号を出力する第１回路と、
前記複数の画素と前記第１回路とを接続する複数の走査線と、
を有し、
前記基板は、
前記基板の第１領域と、
前記基板の前記第１領域の第１方向における第１の側の第１側部に沿って配置された領域である第２領域と、
を含み、
前記複数の画素は、前記第１領域に設けられ、
前記第１回路は、前記第２領域に設けられ、
前記複数の走査線は、前記第１領域に設けられ、平面視において、前記第１方向にそれぞれ延在し、
前記第１回路は、
前記複数の走査線の各々の前記第１方向における前記第１の側の第１端部とそれぞれ接続された複数の走査信号接続配線と、
前記複数の走査信号接続配線の各々を介して、前記複数の走査線の各々の前記第１端部とそれぞれ接続された複数の回路部と、
を含み、
前記複数の走査信号接続配線のうち第１走査信号接続配線は、前記複数の走査線のうち第１走査線と接続され、
前記複数の走査信号接続配線のうち第２走査信号接続配線は、前記複数の走査線のうち前記第１走査線に対して前記第１方向とは異なる第２方向における第２の側に配置された第２走査線と接続され、
前記第１走査信号接続配線は、第３方向に延在する第１延在部を含み、
前記第２走査信号接続配線は、前記第３方向と異なる第４方向に延在する第２延在部を含む、表示装置。
【請求項１２】
請求項１１記載の表示装置において、
前記複数の画素に供給される映像信号が入力される第２回路と、
前記複数の画素と前記第２回路とを接続する複数の映像線と、
を有し、
前記基板は、前記基板の領域であって、前記第１領域に対して、前記第２方向における前記第２の側に配置された第３領域を含み、
前記第２回路は、前記第３領域に設けられ、
前記複数の映像線は、前記第１領域に設けられ、平面視において、前記第２方向にそれぞれ延在し、かつ、前記第１方向に配列され、
前記第１領域の前記第１側部は、前記第２方向における前記第２の側と反対側ほど、前記第１方向における前記第１の側に位置する形状を有する、表示装置。
【請求項１３】
請求項１１又は１２記載の表示装置において、
前記第３方向が前記第１方向となす角度は、前記第４方向が前記第１方向となす角度よりも大きい、表示装置。
【請求項１４】
請求項１２記載の表示装置において、
前記複数の映像線の各々の前記第２方向における前記第２の側の第２端部とそれぞれ接続された複数の映像信号接続配線を有し、
前記第２回路は、前記複数の映像信号接続配線の各々を介して、前記複数の映像線の各々の前記第２端部と接続され、
前記複数の映像線のうち第１映像線は、平面視において、前記第１側部と重なり、
前記複数の映像信号接続配線のうち第１映像信号接続配線は、前記第１映像線と接続され、
前記第１映像信号接続配線は、前記第２領域に設けられている、表示装置。
【請求項１５】
表示領域と、前記表示領域の外側に設けられた周辺領域とを有する基板と、
前記表示領域に設けられた複数の走査線と複数の映像線と、
前記周辺領域に設けられた、複数の走査線に走査信号を供給する選択回路と、前記複数の走査線と前記選択回路とを接続する複数の走査線接続配線と、を有する表示装置であって、
前記複数の映像線と接続された複数の映像線接続配線と前記走査線接続配線とが、前記周辺領域において交差しており、
前記選択回路のうちの第１回路部は、前記複数の走査線接続配線のうち第１走査線接続配線と接続され、
前記選択回路のうちの第２回路部は、前記複数の走査線接続配線のうち前記第１走査線接続配線とは異なる第２走査線接続配線と接続され、
前記第１回路部の形状は、前記第２回路部の形状と異なる、表示装置。
【請求項１６】
請求項１５記載の表示装置において、
前記複数の走査線のうち第１走査線の長さは、前記複数の走査線のうち第２走査線の長さと異なる、表示装置。
【請求項１７】
請求項１６記載の表示装置において、
前記表示領域は、矩形ではない形状を有している、表示装置。
【請求項１８】
請求項１５乃至１７の何れかに記載の表示装置において、
前記周辺領域には、前記選択回路に対してクロックを供給する信号線が設けられており、
前記第１回路部と前記第２回路部とは、前記信号線に接続されており、
前記第１回路部と前記第２回路部とは、前記信号線と前記表示領域との間に設けられている、表示装置。
【請求項１９】
請求項１５乃至１８の何れかに記載の表示装置において、
前記第１回路部の第１方向における長さに対する、前記第１回路部の第２方向における長さの比は、前記第２回路部の前記第１方向における長さに対する、前記第２回路部の前記第２方向における長さの比と異なる、表示装置。
【請求項２０】
請求項１５乃至１９の何れかに記載の表示装置において、
前記複数の走査線の延在方向と前記第１走査線接続配線とがなす角度と、前記複数の走査線の延在方向と前記第２走査線接続配線とがなす角度とが異なる、表示装置。